(57)【特許請求の範囲】
【請求項１】
表示体と、該表示体を収納する枠体と、該枠体に設けられる第１可動体とを備え、該第１可動体は、前記枠体の外方向に伸縮自在に構成され、前記枠体に第１係合部を設け、前記第１可動体に複数の第２係合部を設け、前記第１係合部と、所定の第２係合部を係合させる事により、前記第１可動体は、所定の大きさに調整される事を特徴とする表示装置。
【請求項２】
前記枠体にボタンを設け、前記ボタンの操作状態により、前記第１係合部と前記第２係合部の係合および解除がなされる事を特徴とする請求項１の表示装置。
【請求項３】
前記第１可動体は、横方向に位置する横部可動体と、縦方向に位置する縦部可動体とから構成され、前記横部可動体および前記縦部可動体に各々接続され、移動可能な第２可動体が設けられる事を特徴とする請求項１の表示装置。
【発明の詳細な説明】
【０００１】
【発明の属する技術分野】
本発明は表示装置に関する。
【０００２】
【従来の技術】
従来、この種の装置は例えば、特開平９−８４８６３号公報に示されている。この公報によると、表示体（例えば絵画）と、該表示体を固定する額縁が示されている。
【０００３】
【発明が解決しようとする課題】
上記装置では、一定の大きさの表示体に対し、一定の大きさの窓を持つ額縁が選択されていた。そのため、１つの表示体に対し、様々な大きさの窓を有する額縁を組合せる事が出来ない第１の欠点がある。特に、液晶表示装置の様に、絵画に比べて比較的厚いものを取付ける場合、額縁の窓と表示体との隙間を埋めるべく、隙間の大きさに合せて、壁材を用意する必要があり、手間がかかる第２の欠点がある。
【０００４】
故に、本発明はこの様な従来の欠点を考慮して、表示体に対して様々な大きさの窓を持つ額縁を容易に組合せかつ取付ける事ができる表示装置を提供する。
【０００５】
【課題を解決するための手段】
上記課題を解決するために、請求項１の本発明では、表示体と、該表示体を収納する枠体と、該枠体に設けられる第１可動体とを備え、該第１可動体は、前記枠体の外方向に伸縮自在に構成され、前記枠体に第１係合部を設け、前記第１可動体に複数の第２係合部を設け、前記第１係合部と、所定の第２係合部を係合させる事により、前記第１可動体は、所定の大きさに調整される。
【０００６】
請求項２の本発明では、前記枠体にボタンを設け、前記ボタンの操作状態により、前記第１係合部と前記第２係合部の係合および解除がなされる。
【０００７】
請求項３の本発明では、前記第１可動体は、横方向に位置する横部可動体と、縦方向に位置する縦部可動体とから構成され、前記横部可動体および前記縦部可動体に各々接続され、移動可能な第２可動体が設けられる。
【００１０】
【発明の実施の形態】
本発明の実施の形態に係る表示装置１を図１と図２に従い説明する。図１（ａ）は表示装置１の正面図、図１（ｂ）は図１（ａ）の断面図、図２（ａ）は表示装置１に用いられる枠体および第１可動体等の裏面図、図２（ｂ）、（ｃ）、（ｄ）は図２（ａ）のＡＡ断面図である。
【００１１】
これらの図に於て、表示体２は例えば液晶表示装置等から成り、記録媒体（例えばＣＤ−ＲＯＭ等から成るが図示せず）に記録された画像データにより、種々の画像を表示するものである。
【００１２】
枠体３は例えば金属体又はプラスチックから成り、正面から見れば略額縁状に形成され、その開口した窓部に表示体２が固定されている。即ち、枠体３は表示体２を収納する固定式（可動できない）のものである。
【００１３】
枠体３は裏面から見れば、複数の適所に凹部４が形成され、バネ５の底面が凹部４上に配置されている。枠体３は断面図（図２（ｂ）参照）から見れば、垂直部６と水平部７と垂直部８の様に、階段状に形成されている。
【００１４】
ボタン９は例えば枠体３と一体的に形成され、支持部１０を介して枠体３につながっている。ボタン９は断面図（図２（ｂ））から見れば、端部近傍に第１係合部１１が形成され、中央部に支持部１０が形成され、他の端部近傍に押部１２が形成されている。ボタン９ａ、９ｂ、９ｃ、９ｄは裏面（図２（ａ））から見れば各々、枠体３の上部と、下部と、右部と、左部に各々設けられている。
【００１５】
この様に、ボタン９ａ〜９ｄは枠体３に設けられている。そして支持部１０の根元（枠体３と交わる部分）を支点として、押部１２が押されると（図２（ｃ）参照）、第１係合部１１は枠体３から離れ、押部１２が押されないと（図２（ｂ）参照）、第１係合部１１は枠体３に近づく様に、構成されている。
【００１６】
第１可動体１３は例えば、横部可動体１４、１５と、縦部可動体１６、１７等から構成されている。横部可動体１４、１５は枠体３の横方向に略平行に位置し縦部可動体１６、１７は枠体３の縦方向に位置すべく、配置されている。
【００１７】
即ち、横部可動体１４は、横方向に延びた長尺のものであり、その底面はバネ５の上面に当接している（図２（ａ）参照）。横部可動体１４は、図２（ｂ）の断面図から見れば、右側面の適所に複数の第２係合部１８が形成され、左上側面には凹部１９が形成され、左下側面は枠体３の垂直部６に当接している。
【００１８】
そして、ボタン９ａの押部１２が押されないと（図２（ｂ）参照）、ボタン９ａ（枠体３）の第１係合部１１は、第１可動体１３（横部可動体１４）の第２係合部１８と係合している。ボタン９ａの押部１２が押されると（図２（ｃ）参照）上記係合は解除される。この様に、ボタン９ａ〜９ｄの操作状態により、第１係合部１１と第２係合部１８の係合および解除がなされる。横部可動体１５は、横部可動体１４と線対称に構成されている。
【００１９】
縦部可動体１６は、縦方向に延びた長尺のものであり（図２（ａ）参照）、その底面はバネ５の上面に当接している。縦部可動体１６は断面して見れば、１側面に複数の第２係合部１８が形成され、他側面上部に凹部１９が形成され、他側面下部は垂直部６に当接している。
【００２０】
そして押部１２が押されないと、ボタン９の第１係合部１１は、縦部可動体１６の第２係合部１８と係合し、押部１２が押されると、上記係合は解除される。縦部可動体１７は、縦部可動体１６と線対称に構成されている。
【００２１】
第２可動体２０は鉤状に形成され、横方向に凸部２１および収納部２２が形成されている（図２（ａ）参照）。凸部２１は凹部１９内に挿入され、収納部２２は枠体３の垂直部６と横部可動体１４との間に収納されている（図２（ｂ）参照）。
【００２２】
第２可動体２０は同様に縦方向に凸部２３および収納部２４が形成されている（図２（ａ）参照）。凸部２３は縦部可動体１６に形成された凹部（図示せず）に挿入され、収納部２４は枠体３の垂直部６と縦部可動体１６との間に収納されている。この様に、第２可動体２０は、横部可動体１４および縦部可動体１６に接続され、収納部２２、２３が各々前記可動体１４、１６に収納されている。
【００２３】
第２可動体２５は横軸ＢＢに対し、第２可動体２０と線対称に構成され、第２可動体２６は縦軸ＡＡに対し、第２可動体２０と線対称に構成され、第２可動体２７は第２可動体２５と同一に構成されている。
【００２４】
この様にして、第２可動体２５は縦部可動体１６および横部可動体１５に各々接続され、第２可動体２６は横部可動体１４および縦部可動体１７に各々接続され、第２可動体２７は縦部可動体１７および横部可動体１５に各々接続されている。
【００２５】
額縁２８は正面から見れば、開口部２９を有する枠状に形成され、裏面から見れば開口した窓３０を有している（図１（ａ）（ｂ）参照）。断面図（図１（ｂ））から見れば、開口部２９と窓３０は段違いに設けられているが、必要に応じて、開口部２９と窓３０は同一に形成されても良い。
【００２６】
この様に、額縁２８は第１可動体１３を収納している。即ち、第１可動体１３の外形は、額縁２８の窓３０に略当接すべく、第１可動体１３は所定の大きさに調整され、額縁２８に固定されている。例えば、第２可動体２０、２５と第１可動体１３とが重ねられた部分と、額縁２８の垂直部３１とを貫通すべく、小ネジ（図示せず）が設けられる。以上の部品により表示装置１が構成されている。
【００２７】
次に、図１ないし図３に従い、表示装置１の動作を説明する。図３は第１可動体１３および第２可動体２０、２５、２６、２７の大きさを調整する状態を説明する図面である。
【００２８】
最初は、枠体３と第１可動体１３と第２可動体２０、２５、２６、２７の組合せは、最小位置になっている（図２（ａ）、（ｂ）参照）。即ち、ボタン９に設けられた第１係合部１１は、第１可動体１３に設けられた複数の第２係合部１８の中で、最も上方に位置する第２係合部１８に係合している。そのため、第１可動体１３の外形の大きさは最小であり、枠体３と同一の大きさである。
【００２９】
次に額縁２８の窓３０が大きい場合、使用者は最初に、ボタン９ａの押部１２を押す。その結果、ボタン９ａは支持部１０の根元を支点として時計回りに回り第１係合部１１と第２係合部１８の係合は解除される（図２（ｃ）参照）。そしてバネ５の力により、図２（ｄ）に示す様に、横部可動体１４および第２可動体２０、２６は上方に突出する（可動体１４と２０、２６は接続されているため）。この時、第２可動体２０の収納部２４と第２可動体２６の収納部２４も伸びる。
【００３０】
次に、使用者は窓３０の大きさと枠体３の大きさ（外形）との差異を考慮し、可動体１４、２０、２６の突出距離を決め、その突出距離が得られる様に、横部可動体１４の上面を押込む。その時、第１係合部１１は例えば、最も下方に位置する第２係合部１８に係合する。
【００３１】
そして使用者は、同様に、ボタン９ｂの押部１２を押すと、第１係合部１１と第２係合部１８の係合が解除され、可動体１５、２５、２７は下方に突出する（可動体１５および２５、２７は接続されているため）。この時、第２可動体２５、２７の各収納部２４も伸びる。
【００３２】
次に、使用者が横部可動体１５の底面を上方に押すと、第１係合部１１は例えば、最も上方に位置する第２係合部１８に係合する。その結果、可動体１４、２０、２６および１５、２５、２７は上下方向に最大に拡張（伸びた）位置となる（図３（ａ）参照）。
【００３３】
次に、使用者は、ボタン９ｃの押部１２を押すと、第１係合部１１と第２係合部の係合が解除され、可動体１７、２６、２７は右方に突出する（可動体１７および２６、２７は接続されているため）。この時、第２可動体２６、２７の各収納部２２も伸びる。そして使用者が、縦部可動体１７の右側面を左方向に押すと、第１係合部１１は例えば、最も右に位置する第２係合部１８に係合する。
【００３４】
また使用者は、ボタン９ｄの押部１２を押すと、第１係合部１１と第２係合部１８の係合が解除され、可動体１６、２０、２５は左方に突出する（可動体１６および２０、２５は接続されているため）。この時、第２可動体２０、２５の各収納部２２も伸びる。
【００３５】
次に使用者が縦部可動体１６の左側面を右方向に押すと、第１係合部１１は例えば、最も左に位置する第２係合部１８に係合する。その結果、可動体１７、２６、２７および１６、２０、２５は左右方向に最大に拡張した位置となる（図３（ｂ）参照）。この様にして、可動体１４、２０、１６、２５、１５、２７、１７と２６は最大に拡張された位置（図３（ｂ）の最も外側に位置する線）となる。
【００３６】
次に使用者は、枠体３に表示体３を取付け、第２可動体２０、２５と第１可動体１３とが重ねられた部分と、額縁２８の垂直部３１とを貫通すべく、小ネジを接続すると、全部品が完成する。この様に、第１係合部１１を所定の第２係合部１８に係合させる事により、可動体１４、２０、２５、１５、２７、１７、２６の外形の大きさを任意に調整する事が出来る。
【００３７】
【発明の効果】
上述の様に請求項１の本発明では、表示体と、表示体を収納する枠体と、枠体に設けられる第１可動体とを備え、第１可動体は枠体の外方向に伸縮自在に構成される。この構成により、額縁に設けられた窓の大きさが種々に異なっても、枠体と窓との隙間を、伸縮自在な第１可動体が埋める。それ故、１つの表示体に対し、種々な大きさの窓を有する額縁を容易に組合せる事が出来る。
【００３８】
請求項２の本発明では、枠体に第１係合部を設け、第１可動体に複数の第２係合部を設け、第１係合部と所定の第２係合部を係合させる。その結果、第１可動体の大きさ（外形寸法）は任意の大きさに調整できるので、どの様な大きさの窓にも、当接する事が出来る。
【００３９】
請求項３の本発明では、枠体にボタンを設け、ボタンの操作状態により、第１係合部と第２係合部の係合および解除がなされる。この様に、ボタンの操作により係合および解除を行ない、第１可動体の外形寸法を変えるので、調整作業が容易となる。
【００４０】
請求項４の本発明では、第１可動体は、窓の横方向に位置する横部可動体と、窓の縦方向に位置する縦部可動体とから構成し、横部可動体および縦部可動体に各々接続され移動可能な第２可動体を設ける。この様にして、横部可動体と縦部可動体と第２可動体により、枠状の可動体を構成し、その可動体を平行移動する事により、拡大、縮小できるので、どの様な大きさの窓にも当接させ、枠体と窓の隙間を容易に、かつ正確に埋める事が出来る。
【００４１】
請求項５の本発明では、表示体を液晶表示装置から構成する。この様に、比較的厚い液晶表示装置を取付ける場合、外形寸法を調整する事ができる前記第１可動体にて、窓と表示体との隙間を埋める事が出来る。故に、従来の様に、隙間の大きさに合せて、壁材を用意する必要がなく、手間が省ける。
【図面の簡単な説明】
【図１】図１（ａ）は本発明の実施の形態に係る表示装置１の正面図、図１（ｂ）は図１（ａ）の断面図である。
【図２】図２（ａ）は前記表示装置１に用いられる枠体３および第１可動体１３等の裏面図であり、図２（ｂ）、（ｃ）、（ｄ）は各状態に於けるＡＡ断面図である。
【図３】図３（ａ）は、前記枠体および第１可動体の裏面図（上下に最大に拡張された時）であり、図３（ｂ）は前記枠体および第１可動体等の裏面図（左右に最大に拡張された時）である。
【符号の説明】
２  表示体
３  枠体
１３  第１可動体
２８  額縁
３０  窓
【図１】
0003573996.tif 000002
【図２】
0003573996.tif 000003
【図３】
0003573996.tif 000004